(57)【要約】【課題】必要なメンテナンス情報の作業状況を管理できる情報管理システムおよび情報管理方法を提供する。【解決手段】管理装置１は、画像形成装置１０に対応して必要な作業項目を含むメンテナンス情報を記憶装置７から呼び出して画像形成装置に送信する送信部２と、画像形成装置からメンテナンス情報の作業項目の完了情報を受信する受信部３とを備える。画像形成装置は、管理装置からメンテナンス情報を受信する受信部１１と、受信したメンテナンス情報の作業項目の完了情報を管理装置に送信する送信部１１とを備える。記憶装置には、管理装置の受信部で受信したメンテナンス情報の作業項目の完了情報が画像形成装置に対応して記憶される。【選択図】図１
2016139284.tif 000002
【特許請求の範囲】
【請求項１】
少なくとも１台の画像形成装置と、該画像形成装置に対するメンテナンス情報を管理する管理装置とが接続された情報管理システムであって、
前記メンテナンス情報を前記画像形成装置に対応させて記憶する記憶装置を有し、
前記管理装置は、前記画像形成装置に対応して必要な作業項目を含む前記メンテナンス情報を、前記記憶装置から呼び出して前記画像形成装置に送信する送信部と、前記画像形成装置から前記メンテナンス情報の作業項目の完了情報を受信する受信部とを備え、
前記画像形成装置は、前記管理装置から前記メンテナンス情報を受信する受信部と、受信した前記メンテナンス情報の作業項目の完了情報を前記管理装置に送信する送信部とを備え、
前記記憶装置には、前記管理装置の受信部で受信した前記メンテナンス情報の作業項目の完了情報が前記画像形成装置に対応して記憶されることを特徴とする情報管理システム。
【請求項２】
請求項１に記載の情報管理システムであって、
前記メンテナンス情報の作業項目には作業手順が含まれており、前記管理装置の送信部は、前記メンテナンス情報の作業項目が完了した場合、当該完了した作業項目を前記画像形成装置に送信しないことを特徴とする情報管理システム。
【請求項３】
請求項１または２に記載の情報管理システムであって、
前記画像形成装置の送信部は、前記メンテナンス情報の要求命令および前記画像形成装置の識別情報を前記管理装置に送信し、該管理装置の送信部は、前記画像形成装置に対応して必要な作業項目を含む前記メンテナンス情報を、前記記憶装置から呼び出して前記画像形成装置に送信することを特徴とする情報管理システム。
【請求項４】
請求項１〜３のいずれか１項に記載の情報管理システムであって、
前記画像形成装置は、該画像形成装置の本体内の駆動部を駆動させる電源とは別の電源で作動する表示部を有することを特徴とする情報管理システム。
【請求項５】
請求項１〜４のいずれか１項に記載の情報管理システムであって、
前記メンテナンス情報には、前記画像形成装置の本体内の駆動部を自動的に停止させる情報が含まれることを特徴とする情報管理システム。
【請求項６】
少なくとも１台の画像形成装置に対するメンテナンス情報を管理する管理装置による情報管理方法であって、
前記メンテナンス情報を前記画像形成装置に対応させて記憶する記憶装置を有し、
前記管理装置が、前記画像形成装置に対応して必要な作業項目を含む前記メンテナンス情報を、前記記憶装置から呼び出して前記画像形成装置に送信する送信ステップと、
前記画像形成装置が、前記管理装置から受信した前記メンテナンス情報の作業項目の完了情報を前記管理装置に送信する送信ステップと、
前記管理装置が、前記画像形成装置から受信した前記メンテナンス情報の作業項目の完了情報を前記画像形成装置に対応させて前記記憶装置に記憶する記憶ステップと
を備えることを特徴とする情報管理方法。
【発明の詳細な説明】
【技術分野】
【０００１】
本発明は、情報管理システムおよび情報管理方法に関し、詳細には、少なくとも１台の画像形成装置と、画像形成装置に対するメンテナンス情報を管理する管理装置とが接続された情報管理システムおよび情報管理方法に関する。
【背景技術】
【０００２】
画像形成装置には、例えば、コピー、ファクシミリ、スキャナ、印刷などの複数の機能を備えた複合機（ＭＦＰ：Ｍｕｌｔｉ  Ｆｕｎｃｔｉｏｎ  Ｐｅｒｉｐｈｅｒａｌ）があり、インターネットやイントラネットに接続されると、複数のユーザで共有できる。
また、画像形成装置がネットワークに接続されている場合、ユーザ側の都合を知るために、メンテナンス情報を画像形成装置に通知できれば便利である。例えば、特許文献１には、管理装置がメンテナンス情報を画像形成装置に通知し、画像形成装置は応答メッセージを管理装置に送信する技術が開示されている。
【先行技術文献】
【特許文献】
【０００３】
【特許文献１】特開２０１４−３６３３０号公報
【発明の概要】
【発明が解決しようとする課題】
【０００４】
しかしながら、上記特許文献１の画像形成装置では、ユーザの都合の良い日時を応答メッセージとして管理装置に送信するが、メンテナンス情報の作業項目の完了情報を管理装置に送信していないので、管理装置では、必要なメンテナンス情報の作業状況を管理できないという問題がある。また、メンテナンスを行う際に、手順書やチェックシート等を、作業者が個別に所持あるいは所持した端末上に表示して作業する必要があるため、作業漏れなどの可能性がある。
【０００５】
本発明は、上述のような実情に鑑みてなされたもので、必要なメンテナンス情報の作業状況を管理できる情報管理システムおよび情報管理方法を提供することを目的とする。
【課題を解決するための手段】
【０００６】
上記課題を解決するために、本発明の第１の技術手段は、少なくとも１台の画像形成装置と、該画像形成装置に対するメンテナンス情報を管理する管理装置とが接続された情報管理システムであって、前記メンテナンス情報を前記画像形成装置に対応させて記憶する記憶装置を有し、前記管理装置は、前記画像形成装置に対応して必要な作業項目を含む前記メンテナンス情報を、前記記憶装置から呼び出して前記画像形成装置に送信する送信部と、前記画像形成装置から前記メンテナンス情報の作業項目の完了情報を受信する受信部とを備え、前記画像形成装置は、前記管理装置から前記メンテナンス情報を受信する受信部と、受信した前記メンテナンス情報の作業項目の完了情報を前記管理装置に送信する送信部とを備え、前記記憶装置には、前記管理装置の受信部で受信した前記メンテナンス情報の作業項目の完了情報が前記画像形成装置に対応して記憶されることを特徴としたものである。
【０００７】
第２の技術手段は、第１の技術手段において、前記メンテナンス情報の作業項目には作業手順が含まれており、前記管理装置の送信部は、前記メンテナンス情報の作業項目が完了した場合、当該完了した作業項目を前記画像形成装置に送信しないことを特徴としたものである。
【０００８】
第３の技術手段は、第１または第２の技術手段において、前記画像形成装置の送信部は、前記メンテナンス情報の要求命令および前記画像形成装置の識別情報を前記管理装置に送信し、該管理装置の送信部は、前記画像形成装置に対応して必要な作業項目を含む前記メンテナンス情報を、前記記憶装置から呼び出して前記画像形成装置に送信することを特徴としたものである。
【０００９】
第４の技術手段は、第１から第３のいずれか１の技術手段において、前記画像形成装置は、該画像形成装置の本体内の駆動部を駆動させる電源とは別の電源で作動する表示部を有することを特徴としたものである。
【００１０】
第５の技術手段は、第１から第４のいずれか１の技術手段において、前記メンテナンス情報には、前記画像形成装置の本体内の駆動部を自動的に停止させる情報が含まれることを特徴としたものである。
【００１１】
また、第６の技術手段は、少なくとも１台の画像形成装置に対するメンテナンス情報を管理する管理装置による情報管理方法であって、前記メンテナンス情報を前記画像形成装置に対応させて記憶する記憶装置を有し、前記管理装置が、前記画像形成装置に対応して必要な作業項目を含む前記メンテナンス情報を、前記記憶装置から呼び出して前記画像形成装置に送信する送信ステップと、前記画像形成装置が、前記管理装置から受信した前記メンテナンス情報の作業項目の完了情報を前記管理装置に送信する送信ステップと、前記管理装置が、前記画像形成装置から受信した前記メンテナンス情報の作業項目の完了情報を前記画像形成装置に対応させて前記記憶装置に記憶する記憶ステップとを備えることを特徴としたものである。
【発明の効果】
【００１２】
本発明によれば、管理装置が画像形成装置に必要なメンテナンス情報を送信するので、例えば、画像形成装置の機種が異なっても、各機種に応じた適切なメンテナンス情報を画像形成装置に送信できる。そして、画像形成装置がメンテナンス情報の作業項目の完了情報を管理装置に送信すると、この作業項目の完了情報が画像形成装置に対応して記憶装置に記憶されるため、必要なメンテナンス情報の作業状況を管理できる。さらに、管理装置が仮に複数台の画像形成装置に接続されている場合、メンテナンス情報の作業状況を管理装置で統合的に管理できる。
【図面の簡単な説明】
【００１３】
【図１】本発明による情報管理システムの構成図の説明図である。
【図２】図１の操作部の説明図である。
【図３】本発明による作業状況を管理するフローチャートである。
【図４】作業状況のテーブルである。
【図５】作業項目選択画面の説明図である。
【図６】作業手順画面の説明図である。
【図７】第２実施形態による作業状況を管理するフローチャートである。
【発明を実施するための形態】
【００１４】
以下、図面を参照しながら本発明の情報管理システムおよび情報管理方法について説明する。図１は、本発明による情報管理システムの構成図の説明図であり、図２は、図１の操作部の説明図である。
図１に示すように、ネットワーク９には、１台の管理装置１と少なくとも１台（例えば３台）の画像形成装置１０とが接続されている。各画像形成装置１０は識別情報をそれぞれ有している。また、記憶装置７が例えば管理装置１の外部に設置され、各画像形成装置１０に対するメンテナンス情報を記憶している。なお、記憶装置を管理装置の内部に設けてもよい。また、画像形成装置が管理装置を兼ねる場合、記憶装置を画像形成装置の内部に設けることも可能である。
【００１５】
管理装置１は制御部４を備え、制御部４は送信部２や受信部３を介して各画像形成装置１０と通信可能に構成されている。また、制御部４は、例えば１あるいは複数個のＣＰＵ（Ｃｅｎｔｒａｌ  Ｐｒｏｃｅｓｓｉｎｇ  Ｕｎｉｔ）等からなり、特定部５や表示制御部６として機能できる。特定部５は、例えば、識別情報から各画像形成装置１０を特定し、さらに、画像形成装置１０のメンテナンス情報の作業状況から画像形成装置１０の未完了の作業項目を判定できる。特定・判定結果は表示制御部６に出力され、表示制御部６は、画像形成装置１０に必要な作業項目を含むメンテナンス情報を記憶装置７から呼び出し、その作業項目の表示情報を設定する。送信部２は、設定された作業項目の表示情報を画像形成装置毎に送信し、受信部３は、各画像形成装置からメンテナンス情報の作業項目の完了情報を受信できる。
【００１６】
図１に示すように、画像形成装置１０は、通信Ｉ／Ｆ１１、操作部１２、原稿読取部１３、画像処理部１４、印刷部１５、記憶部１６、制御部１７等を有し、これらはバスを介して接続される。
制御部１７は、通信Ｉ／Ｆ１１を介して管理装置１や外部装置（図示省略）と通信可能に構成されている。このため、通信Ｉ／Ｆ１１が本発明の画像形成装置の受信部や送信部に相当する。また、通信Ｉ／Ｆ１１は、例えば、ＦＡＸ通信部、インターネット用通信部、赤外線通信部等を備えている。
【００１７】
制御部１７は、例えば１あるいは複数個のＣＰＵ等からなり、記憶部１６の例えばＲＯＭに格納されている各種のプログラムやデータをＲＡＭにロードし、このロードしたＲＡＭ内のプログラムを実行する。これにより、データを処理しつつ、ユーザからの指示内容等に基づいて画像形成装置１０の全体の動作を制御できる。
原稿読取部１３は、所定位置にセットされた原稿を光学的に読み取り可能に構成され、読み取られた原稿の画像は制御部１７を経由して画像処理部１４に出力される。
【００１８】
操作部１２は、例えば、原稿読取部１３の手前側に配置されており、液晶のディスプレイ２２と透明抵抗膜方式のタッチパネル２１からなる操作パネル２０や、図２にも示すような接触接点を用いたハードキー２３で構成される。なお、操作パネル２０が本発明の表示部に相当する。
タッチパネル２１は例えばディスプレイ２２に重ねて形成され、操作パネル２０には、画像形成装置１０を操作するためのＧＵＩ（Ｇｒａｐｈｉｃａｌ  Ｕｓｅｒ  Ｉｎｔｅｒｆａｃｅ）が表示される。
【００１９】
画像処理部１４は、例えば、原稿読取部１３で読み取られた原稿のデータに種々の処理を行って画像データを生成する。この生成された画像データが印刷部１５に出力される。上記読み取られた原稿のデータや生成された画像データは、記憶部１６の入力画像領域３１に格納される。
印刷部１５は、給紙、画像形成、転写、定着、排紙等を行って印刷を実行可能に構成され、画像処理部１４からの画像データを用紙に印刷する。なお、印刷部１５が両面印刷機能を備えている場合には、用紙の片面の他、もう一方の面にも画像処理部１４からの原稿の画像データを印刷できる。また、印刷部１５は、ユーザがステープルやファイリング用の穴明け等の処理を希望した場合、後処理装置（図示省略）と連携して動作可能である。
【００２０】
また、制御部１７は、例えば、表示制御部４１、判定部４２、駆動制御部４３を備えている。
表示制御部４１は、画像形成装置１０に対するメンテナンス情報の作業項目や作業手順などを操作パネル２０に表示できる。また、このメンテナンス情報は、作業手順に沿って対話形式で設定され、操作パネル２０で選択可能に表示される。これにより、手順書やチェックシートを、作業者が個別に所持あるいは所持した端末上に表示して作業しなくて済む。
【００２１】
通信Ｉ／Ｆ１１では、管理装置１からメンテナンス情報の作業項目や作業手順を受信し、また、判定部４２は、受信したメンテナンス情報の作業項目が完了したか否か判定する。判定されたメンテナンス情報の作業項目の完了情報は、通信Ｉ／Ｆ１１を介して管理装置１に送信される。なお、駆動制御部４３は例えば原稿読取部１３や印刷部１５などの駆動を制御できる。
【００２２】
（第１実施形態）
図３は、本発明による作業状況を管理するフローチャートである。また、図４は、作業状況のテーブル、図５は、作業項目選択画面の説明図、図６は、作業手順画面の説明図である。本実施形態では、画像形成装置から管理装置への問い合わせとは無関係に、管理装置が画像形成装置にメンテナンス情報を送る例（ＰＵＳＨ方式ともいう）を想定する。また、メンテナンス情報には、画像形成装置の定期的なメンテナンス、修理、機能追加・変更などのバージョンアップ等のための情報が該当する。
【００２３】
管理装置１は、１台の画像形成装置１０を選択し（図３のステップＳ１０）、この選択した画像形成装置１０に必要なメンテナンス情報を記憶装置７から取得する（ステップＳ１１）。詳しくは、図４に示すように、記憶装置７には、各画像形成装置１０のメンテナンス情報が格納されており、メンテナンス情報の作業項目には、例えば、作業１：部材交換、作業２：センサ交換の順に設定され、さらにこの作業２には、Ａ）センサ交換、Ｂ）センサ調整の順に設定されている。
【００２４】
そして、記憶装置７には、各画像形成装置（図４中、マシンＮｏ．０００１，０００２，０００３，・・・で示す）１０のメンテナンス情報の作業状況として、例えば、マシンＮｏ．０００１は、作業１、作業２のＡ）およびＢ）のいずれも完了と記憶されている。一方、マシンＮｏ．０００２は、作業１および作業２のＡ）が完了であるが、作業２のＢ）は未完了と記憶され、また、マシンＮｏ．０００３は、作業１、作業２のＡ）およびＢ）のいずれも未完了と記憶されている。
【００２５】
ここで、管理装置１は画像形成装置１０の選択を定期的に開始し、例えばマシンＮｏ．０００１を選択した場合（図３のステップＳ１０）、マシンＮｏ．０００１に必要な作業項目を取得する（ステップＳ１１）。当該マシンＮｏ．０００１では、作業１、作業２のＡ）およびＢ）のいずれも完了であったので、作業項目は完了し（ステップＳ１２のＹＥＳ）、かつ、全項目が終了していると判定されるため（ステップＳ１６のＹＥＳ）、マシンＮｏ．０００１にはメンテナンス情報の作業項目を送信しない。なお、メンテナンスが完了している旨の情報は、マシンＮｏ．０００１に送信してもよい。次いで、全マシンの確認は済んでいないと判定されると（ステップＳ１７のＮＯ）、マシンＮｏ．の選択に戻る（ステップＳ１０）。
【００２６】
続いて、管理装置１が、例えばマシンＮｏ．０００２を選択し（ステップＳ１０）、その必要な作業項目を取得する（ステップＳ１１）。当該マシンＮｏ．０００２では、作業１および作業２のＡ）が完了であったので、作業１の完了（ステップＳ１２のＹＥＳ）、全項目が終了していない（ステップＳ１６のＮＯ）、作業２のＡ）を取得（ステップＳ１１）、作業２のＡ）の完了（ステップＳ１２のＹＥＳ）、全項目が終了していない（ステップＳ１６のＮＯ）を判定した後、作業２のＢ）を取得（ステップＳ１１）すると、作業２のＢ）の未完了を判定する（ステップＳ１２のＮＯ）。そして、管理装置１は、作業２のＢ）をマシンＮｏ．０００２に送信する（ステップＳ１３）。
【００２７】
これにより、マシンＮｏ．０００２の操作パネル２０には、図５（Ａ）に示す作業項目選択画面５０が表示される。具体的には、完了した作業１や作業２のＡ）の各項目ボタンは例えばグレー色で表示されて選択できないのに対し、未完了の作業２のＢ）の項目ボタンは選択可能に表示される。作業２のＢ）の項目ボタンが選択された場合、マシンＮｏ．０００２の操作パネル２０には、作業２のＢ）の手順を示した作業手順画面（図示省略）が表示される。なお、作業手順は、作業２のＢ）の項目に含めて管理装置１がマシンＮｏ．０００２に送信するが、情報管理システムの負荷軽減のために、作業２のＢ）の項目ボタンが選択されたことを受け取った後、管理装置１がマシンＮｏ．０００２に送信してもよい。
【００２８】
その後、作業２のＢ）が完了した場合、マシンＮｏ．０００２が作業２のＢ）の完了情報を管理装置１に送信する。管理装置１が、マシンＮｏ．０００２に対する作業２のＢ）の完了を判定した場合（図３のステップＳ１４のＹＥＳ）、記憶装置７に格納されているマシンＮｏ．０００２の作業状況を更新する（ステップＳ１５）。これにより、図４で説明したマシンＮｏ．０００２に対する作業２のＢ）も未完了から完了になる。そして、管理装置１は全項目の終了を判定し（図３のステップＳ１６のＹＥＳ）、全マシンの確認が済んでいないと判定すると（ステップＳ１７のＮＯ）、マシンＮｏ．の選択に戻る（ステップＳ１０）。
【００２９】
次いで、管理装置１が、例えばマシンＮｏ．０００３を選択し（ステップＳ１０）、その必要な作業項目を取得する（ステップＳ１１）。当該マシンＮｏ．０００３では、作業１、作業２のＡ）およびＢ）のいずれも未完了であったため、管理装置１は、作業１、作業２のＡ）および作業２のＢ）をマシンＮｏ．０００３に送信する（ステップＳ１３）。
これにより、マシンＮｏ．０００３の操作パネル２０には、図５（Ｂ）に示すように、未完了の作業１、作業２のＡ）、作業２のＢ）の各項目ボタンを選択できる作業項目選択画面５１が表示される。なお、作業項目の未完了状態がマシンにとって致命的な問題を招く場合、操作パネルで警告を表示してもよい。
【００３０】
ここで、例えば作業２のＡ）の項目ボタンが選択された場合、マシンＮｏ．０００３の操作パネル２０には、図６に示す作業手順画面５２が表示される。この画面５２では、手順の現在位置（例えば、「１）ドアを開ける。」）の例えば色を反転させ、このドアを指し示す画像と併せて表示できる。また「進む」を選択すると次の手順に移り、「戻る」を選択すると１つ手前の手順に移る。例えば「８）ドアを閉める。」まで到達して「完了」を選択すると、作業２のＡ）の項目が完了する。
【００３１】
マシンＮｏ．０００３は、作業１、作業２のＡ）、作業２のＢ）の各項目が完了する度に管理装置１に送信し、管理装置１は記憶装置７に格納されているマシンＮｏ．０００３の作業状況を更新する（図３のステップＳ１４のＹＥＳ、ステップＳ１５）。
管理装置１が全項目の終了を判定し（ステップＳ１６のＹＥＳ）、さらに全マシンの確認が済んだと判定した場合（ステップＳ１７のＹＥＳ）、一連のルーチンを抜ける。
【００３２】
このように、管理装置１が各画像形成装置１０に必要なメンテナンス情報を送信するので、例えば、画像形成装置の機種が異なっても、各機種に応じた適切なメンテナンス情報を画像形成装置に送信できる。そして、画像形成装置１０がメンテナンス情報の作業項目の完了情報を管理装置１に送信すると、この作業項目の完了情報が画像形成装置毎に記憶装置７に記憶されるため、必要なメンテナンス情報の作業状況を管理できる。さらに、管理装置が複数台の画像形成装置に接続されている場合には、メンテナンス情報の作業状況を管理装置で統合的に管理できる。
【００３３】
また、メンテナンス情報の作業項目が完了した画像形成装置には、その完了した作業項目やその作業手順を送信しないので、情報管理システムの負荷を軽減できる。
【００３４】
（第２実施形態）
図７は、第２実施形態による作業状況を管理するフローチャートである。本実施形態では、画像形成装置が管理装置に問い合わせた場合、管理装置が画像形成装置にメンテナンス情報を送っている（ＰＵＬＬ方式ともいう）。
具体的には、画像形成装置１０は、例えば当該画像形成装置の起動時やネットワークに接続した時に、メンテナンス情報の要求命令および画像形成装置の識別情報を管理装置に送信し、管理装置１がこれら要求命令および識別情報を受信した場合（図７のステップＳ２０のＹＥＳ）、管理装置１は、この受信した画像形成装置１０に対する現在のメンテナンス情報を記憶装置７から取得する（ステップＳ２１）。
【００３５】
なお、図７のステップＳ２２〜ステップＳ２６は、第１実施形態で説明した図３のステップＳ１２〜ステップＳ１６と同じ動作であり、この画像形成装置１０に対する全項目の終了を判定した場合（図７のステップＳ２６のＹＥＳ）、一連のルーチンを抜ける。
このように、メンテナンス情報を画像形成装置１０から管理装置１に要求できるので、メンテナンス情報が例えば画像形成装置の停止中に管理装置から送信されており、画像形成装置で当該メンテナンス情報を受信できなかった場合にも、画像形成装置は自ら要求することによりメンテナンス情報を得ることができる。
【００３６】
（第３実施形態）
ところで、図１に示した駆動制御部４３は、管理装置１から受信したメンテナンス情報に応じて画像形成装置１０の本体内の駆動部（例えば原稿読取部１３や印刷部１５など）の作動を停止させてもよい。詳しくは、メンテナンス情報には、例えば、原稿読取部１３や印刷部１５を自動的に停止させる情報が含まれており、図５で説明した作業項目選択画面で項目ボタンを選択した場合、原稿読取部１３や印刷部１５などを自動的に停止させるので、安全に作業できる。また、例えば、原稿読取部１３だけを停止して印刷部１５を利用可能にしておけば、画像形成装置の利用できない期間をなくすことができる。
【００３７】
（第４実施形態）
また、画像形成装置１０の操作パネル２０は、上記画像形成装置の本体内の駆動部を駆動させる電源とは別の電源で作動してもよい。操作パネル２０を画像形成装置の本体から独立した電源ラインで作動させれば、画像形成装置の本体を例えば修理のために電源を落としていても、メンテナンス情報を操作パネル２０に表示できるので、作業が可能になる。
【符号の説明】
【００３８】
１…管理装置、２…送信部、３…受信部、４…制御部、５…特定部、６…表示制御部、７…記憶装置、９…ネットワーク、１０…画像形成装置、１１…通信Ｉ／Ｆ、１２…操作部、１３…原稿読取部、１４…画像処理部、１５…印刷部、１６…記憶部、１７…制御部、２０…操作パネル、２１…タッチパネル、２２…ディスプレイ、２３…ハードキー、３１…入力画像領域、４１…表示制御部、４２…判定部、４３…駆動制御部、５０，５１…作業項目選択画面、５２…作業手順画面。
【図１】
2016139284.tif 000003
【図２】
2016139284.tif 000004
【図３】
2016139284.tif 000005
【図４】
2016139284.tif 000006
【図５】
2016139284.tif 000007
【図６】
2016139284.tif 000008
【図７】
2016139284.tif 000009